(57)【要約】複数の容器Ｃを閉じ込めるカートンに形成することができるブランクであって、第１のサイドパネル（２０）と、トップパネル（３０）と、第２のサイドパネル（４０）と、ボトムパネル（１０）と、接着フラップ（５０）と、ブランク（１）の第１の周辺領域に沿って延びる少なくとも１つの第１の端部フラップと、ブランク（１）の第２の周辺領域に沿って延びる少なくとも１つの第２の端部フラップとを含むブランク。引裂き線（６５）が、トップパネル（３０）、第１のサイドパネル（２０）、及び第２のサイドパネル（４０）に形成される。いくつかの実施形態では、各サイドパネル（２０、４０）の引裂き線（６５）は、トップパネル（３０）から垂直に延びて少なくとも１つの曲がり目まで続き、サイドパネル端部フラップ（２２、２４）に進む。１つ又は複数の階段が、引裂き線（６５）に沿って各サイドパネル（２０、４０）に含まれ得る。引裂き線（６５）に沿ったカートンからの切り離し可能部分（７０）の分離により、容器Ｃを取り出すことができる開口が作られる。
2008518853.tif 000002
【特許請求の範囲】
【請求項１】
カートンを形成するブランクであって、
第１のサイドパネルと、
トップパネルと、
第２のサイドパネルと、
ボトムパネルと、
接着フラップと、
該ブランクの第１の周辺領域に沿って延びる少なくとも１つの第１の端部フラップと、
該ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に第１の距離だけ前記第１のサイドパネルに第１の曲がり目まで延び、続いて前記第１のサイドパネルを通って第１のサイドパネル端部フラップに、及び前記第２のサイドパネルを通って第２のサイドパネル端部フラップに、それぞれ第２の方向に延び、前記第１の方向は前記第２の方向に対してほぼ垂直である、引裂き線と
を備える、カートンを形成するブランク。
【請求項２】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項１に記載のカートンを形成するブランク。
【請求項３】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項１に記載のカートンを形成するブランク。
【請求項４】
前記トップパネルに形成されるアクセスフラップを含む、請求項１に記載のカートンを形成するブランク。
【請求項５】
請求項１に記載のブランクから形成されるほぼ平行六面体のカートンと、該カートン内に閉じ込められる複数の物品との組み合わせ。
【請求項６】
カートンを形成するブランクであって、
第１のサイドパネルと、
トップパネルと、
第２のサイドパネルと、
ボトムパネルと、
接着フラップと、
該ブランクの第１の周辺領域に沿って延びる少なくとも１つの第１の端部フラップと、
該ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に一定距離だけ前記第１のサイドパネルに第１の曲がり目まで延び、続いて第１の続き距離だけ第２の方向に第２の曲がり目まで延び、続いて前記第１の方向に第１の上がり距離だけ第３の曲がり目まで延び、続いて前記第１のサイドパネルを通って第１のサイドパネル端部フラップに、及び前記第２のサイドパネルを通って第２のサイドパネル端部フラップに、それぞれ前記第１の方向に延び、該第１の方向は前記第２の方向に対してほぼ垂直である、引裂き線と
を備える、カートンを形成するブランク。
【請求項７】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項６に記載のカートンを形成するブランク。
【請求項８】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項６に記載のカートンを形成するブランク。
【請求項９】
前記トップパネルに形成されるフィンガフラップを含む、請求項６に記載のカートンを形成するブランク。
【請求項１０】
請求項６に記載のブランクから形成されるほぼ平行六面体のカートンと、該カートン内に閉じ込められる複数の物品との組み合わせ。
【請求項１１】
カートンを形成するブランクであって、
第１のサイドパネルと、
トップパネルと、
第２のサイドパネルと、
ボトムパネルと、
接着フラップと、
該ブランクの第１の周辺領域に沿って延びる少なくとも１つの第１の端部フラップと、
該ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に一定距離だけ前記第１のサイドパネルに第１の曲がり目まで延び、続いて第１の続き距離だけ第２の方向に第２の曲がり目まで延び、続いて前記第１の方向に第１の上がり距離だけ第３の曲がり目まで延び、続いて第２の続き距離だけ前記第１の方向に第４の曲がり目まで延び、続いて前記第２の方向に第５の曲がり目まで延び、続いて前記第１のサイドパネルを通って第１のサイドパネル端部フラップに、及び前記第２のサイドパネルを通って第２のサイドパネル端部フラップに、それぞれ前記第１の方向に延び、該第１の方向は前記第２の方向に対してほぼ垂直である、引裂き線と
を備える、カートンを形成するブランク。
【請求項１２】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項１１に記載のカートンを形成するブランク。
【請求項１３】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項１１に記載のカートンを形成するブランク。
【請求項１４】
前記トップパネルに形成されるアクセスフラップを含む、請求項１１に記載のカートンを形成するブランク。
【請求項１５】
請求項１１に記載のブランクから形成されるほぼ平行六面体のカートンと、該カートン内に閉じ込められる複数の物品との組み合わせ。
【請求項１６】
複数の容器を閉じ込めるカートンであって、
第１のサイドパネルと、
トップパネルと、
第２のサイドパネルと、
ボトムパネルと、
接着フラップと、
前記ブランクの第１の周辺領域に沿って延びる少なくとも１つの第１の端部フラップと、
前記ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に第１の距離だけ前記第１のサイドパネルに第１の曲がり目まで延び、続いて前記第１のサイドパネルを通って第１のサイドパネル端部フラップに第２の方向に延び、前記第１の方向は前記第２の方向に対してほぼ垂直である、引裂き線と
を備え、前記引裂き線に沿った切り離し可能部分の分離により、前記容器を取り出すことができる開口が該カートンに作られる、複数の容器を閉じ込めるカートン。
【請求項１７】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項１６に記載のカートン。
【請求項１８】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項１６に記載のカートン。
【請求項１９】
前記トップパネルに形成されるフィンガフラップを含む、請求項１６に記載のカートン。
【請求項２０】
カートンから物品を取り出す方法であって、
請求項１６に記載のカートン及び複数の物品を準備すること、
前記カートンを引裂き線の少なくとも一部に沿って引き裂くこと、
前記カートンのうち前記引裂き線によって画定される部分を除去することであって、それにより開口を形成する、除去すること、及び
前記カートンの前記開口から物品を取り出すこと
を含む、カートンから物品を取り出す方法。
【請求項２１】
複数の容器を閉じ込めるカートンであって、
第１のサイドパネルと、
トップパネルと、
第２のサイドパネルと、
ボトムパネルと、
接着フラップと、
前記ブランクの第１の周辺領域に沿って延びる少なくとも１つの第１の端部フラップと、
前記ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に一定距離だけ前記第１のサイドパネルに第１の曲がり目まで延び、続いて第１の続き距離だけ第２の方向に第２の曲がり目まで延び、続いて、前記第１の方向に第１の上がり距離だけ第３の曲がり目まで延び、続いて前記第１のサイドパネルを通って第１のサイドパネル端部フラップに、及び前記第２のサイドパネルを通って第２のサイドパネル端部フラップに、それぞれ第１の方向に延び、該第１の方向は前記第２の方向に対してほぼ垂直である、引裂き線と
を備え、前記引裂き線に沿った切り離し可能部分の分離により、前記容器を取り出すことができる開口が該カートンに作られる、複数の容器を閉じ込めるカートン。
【請求項２２】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項２１に記載のカートン。
【請求項２３】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項２１に記載のカートン。
【請求項２４】
前記トップパネルに形成されるフィンガフラップを含む、請求項２１に記載のカートン。
【請求項２５】
カートンから物品を取り出す方法であって、
請求項２１に記載のカートン及び複数の物品を準備すること、
前記カートンを引裂き線の少なくとも一部に沿って引き裂くこと、
前記カートンのうち前記引裂き線によって画定される部分を除去することであって、それにより開口を形成する、除去すること、及び
前記カートンの前記開口から物品を取り出すこと
を含む、カートンから物品を取り出す方法。
【請求項２６】
複数の容器を閉じ込めるカートンであって、
第１のサイドパネルと、
トップパネルと、
第２のサイドパネルと、
ボトムパネルと、
接着フラップと、
前記ブランクの第１の周辺領域に沿って延びる少なくとも１つの第１の端部フラップと、
前記ブランクの第２の周辺領域に沿って延びる少なくとも１つの第２の端部フラップと、
少なくとも前記トップパネル、前記第１のサイドパネル、及び前記第２のサイドパネルに延びる引裂き線であって、前記トップパネルから該トップパネルに対してほぼ垂直な第１の方向に一定距離だけ前記第１のサイドパネル及び前記第２のサイドパネルそれぞれに第１の曲がり目まで延び、続いて第１の続き距離だけ第２の方向に第２の曲がり目まで延び、続いて、前記第１の方向に第１の上がり距離だけ第３の曲がり目まで延び、続いて第２の続き距離だけ前記第１の方向に第４の曲がり目まで延び、続いて前記第２の方向に第５の曲がり目まで延び、続いて前記第１の方向に前記第１のサイドパネルを通って第１のサイドパネル端部フラップに、及び前記第２のサイドパネルを通って第２のサイドパネル端部フラップにそれぞれ延び、前記第１の方向は前記第２の方向に対してほぼ垂直である、引裂き線と
を備え、前記引裂き線に沿った切り離し可能部分の分離により、前記容器を取り出すことができる開口が該カートンに作られる、複数の容器を閉じ込めるカートン。
【請求項２７】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項２６に記載のカートン。
【請求項２８】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項２６に記載のカートン。
【請求項２９】
前記トップパネルに形成されるフィンガフラップを含む、請求項２６に記載のカートン。
【請求項３０】
カートンから物品を取り出す方法であって、
請求項２６に記載のカートン及び複数の物品を準備すること、
前記カートンを引裂き線の少なくとも一部に沿って引き裂くこと、
前記カートンのうち前記引裂き線によって画定される部分を除去することであって、それにより開口を形成する、除去すること、及び
前記カートンの前記開口から物品を取り出すこと
を含む、カートンから物品を取り出す方法。
【請求項３１】
前記引裂き線は、前記第１のサイドパネル端部フラップに曲線状の曲がり目まで延びてから該第１のサイドパネル端部フラップの外周縁まで延びる、請求項２６に記載のカートン。
【請求項３２】
前記引裂き線は、前記第２のサイドパネル端部フラップに曲線状の曲がり目まで延びてから該第２のサイドパネル端部フラップの外周縁まで延びる、請求項２６に記載のカートン。
【請求項３３】
出口端部及び閉鎖端部を含む２つの閉鎖端部を含み、前記引裂き線は、前記出口端部に延びる、請求項２６に記載のカートン。
【請求項３４】
複数の容器を閉じ込めるカートンであって、
第１のサイドパネルと、
少なくとも１つのトップパネルと、
第２のサイドパネルと、
ボトムパネルと、
前記ブランクの第１の周辺領域に沿って延びる少なくとも１つの第１の端部フラップと、
前記ブランクの第２の周辺領域に沿って延びる少なくとも１つの第２の端部フラップと、
前記少なくとも１つのトップパネル、前記第１のサイドパネル、及び前記第２のサイドパネルに延びる引裂き線であって、前記トップパネルから該トップパネルに対してほぼ垂直な方向に一定距離だけ前記第１のサイドパネル及び前記第２のパネルそれぞれに第１の曲がり目まで延び、続いて前記第１のサイドパネルに第１のサイドパネル端部フラップとの第１の交点まで第１の傾斜距離だけ、及び前記第２のサイドパネルに第２のサイドパネル端部フラップとの第２の交点まで第２の傾斜距離だけ延び、前記第１の傾斜距離及び前記第２の傾斜距離はほぼ等しい、引裂き線と
を備え、前記引裂き線に沿った切り離し可能部分の分離により、前記容器を取り出すことができる開口が該カートンに作られる、複数の容器を閉じ込めるカートン。
【請求項３５】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項３４に記載のカートン。
【請求項３６】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項３４に記載のカートン。
【請求項３７】
前記トップパネルに形成されるフィンガフラップを含む、請求項３４に記載のカートン。
【請求項３８】
カートンから物品を取り出す方法であって、
請求項３４に記載のカートン及び複数の物品を準備すること、
前記カートンを引裂き線の少なくとも一部に沿って引き裂くこと、
前記カートンのうち前記引裂き線によって画定される部分を除去することであって、それにより開口を形成する、除去すること、及び
前記カートンの前記開口から物品を取り出すこと
を含む、カートンから物品を取り出す方法。
【請求項３９】
前記引裂き線は、前記第１のサイドパネル端部フラップに曲線状の曲がり目まで延びてから該第１のサイドパネル端部フラップの外周縁まで延びる、請求項３４に記載のカートン。
【請求項４０】
前記引裂き線は、前記第２のサイドパネル端部フラップに曲線状の曲がり目まで延びてから該第２のサイドパネル端部フラップの外周縁まで延びる、請求項３４に記載のカートン。
【請求項４１】
出口端部及び閉鎖端部を含む２つの閉鎖端部を含み、前記引裂き線は、前記出口端部に延びる、請求項３４に記載のカートン。
【請求項４２】
係合させると前記閉鎖端部を前記出口端部よりもわずかに上に持ち上げる位置決め組立体を、前記閉鎖端部にさらに含む、請求項４１に記載のカートン。
【請求項４３】
前記位置決め組立体は、前記カートンに取り付けられたままであり前記ボトムパネルの一部及び前記閉鎖端部の一部を含む一体構造である、請求項４２に記載のカートン。
【請求項４４】
前記位置決め組立体は、前記ボトムパネル上の第１の点から該ボトムパネル上の第２の点まで延びる第１の折り線と、前記第１の点から前記ボトムパネル、前記閉鎖端、及び前記ボトムパネルを越えて前記第２の点まで延びる第１の位置決め引裂き線とによって画定される、請求項４３に記載のカートン。
【請求項４５】
前記第１の位置決め引裂き線に沿って位置する第１の位置決めフィンガフラップをさらに含み、該第１の位置決めフィンガフラップは、前記第１の位置決め引裂き線に沿って前記位置決め組立体を引くことを可能にする、請求項４４に記載のカートン。
【請求項４６】
複数の容器を閉じ込めるカートンであって、
第１のサイドパネルと、
トップパネルと、
第２のサイドパネルと、
少なくとも１つのボトムパネルと、
前記ブランクの第１の周辺領域に沿って延びる少なくとも１つの第１の端部フラップと、
前記ブランクの第２の周辺領域に沿って延びる少なくとも１つの第２の端部フラップと、
前記第１のサイドパネルと前記トップパネルとの間に延びる第１の折り線、前記トップパネルと前記第２のサイドパネルとの間に延びる第２の折り線、及び前記トップパネルとトップパネル端部フラップとの間に延びる第３の折り線と、
前記トップパネルを横切り、前記第１の折り線を通り、前記第２の折り線を通り、且つ前記第３の折り線を通って延びて、切り離し可能部分を画定する引裂き線と
を備え、前記引裂き線に沿った前記切り離し可能部分の分離により、前記容器を取り出すことができる開口が該カートンに作られる、複数の容器を閉じ込めるカートン。
【請求項４７】
複数の容器を閉じ込めるカートンであって、
一端部が出口端部である少なくとも２つの端部と、
第１のサイドパネルと、
トップパネルと、
第２のサイドパネルと、
少なくとも１つのボトムパネルと、
前記ブランクの第１の周辺領域に沿って延びる少なくとも１つの第１の端部フラップと、
前記ブランクの第２の周辺領域に沿って延びる少なくとも１つの第２の端部フラップと、
前記第１のサイドパネルと前記トップパネルとの間に延びる第１の折り線、前記トップパネルと前記第２のサイドパネルとの間に延びる第２の折り線、及び前記トップパネルとトップパネル端部フラップとの間に延びる第３の折り線と、
前記トップパネルを横切り、前記第１の折り線を通り、前記第２の折り線を通り、且つ前記第３の折り線を越えて前記出口端部に延びて、切り離し可能部分を画定する引裂き線と
を備え、前記引裂き線に沿った前記切り離し可能部分の分離により、前記容器を取り出すことができる開口が該カートンに作られる、複数の容器を閉じ込めるカートン。
【請求項４８】
カートンを形成するブランクであって、
少なくとも１つのサイドパネルと、
トップパネルと、
少なくとも１つのボトムパネルと、
該ブランクの第１の周辺領域に沿って延びる少なくとも１つの第１の端部フラップと、
少なくとも前記トップパネルを通り、前記少なくとも１つの第１の端部フラップの少なくとも１つの一部を通って、該ブランクの切り離し可能部分を画定する引裂き線と
を備える、カートンを形成するブランク。
【発明の詳細な説明】
【技術分野】
【０００１】
［発明の分野］
本発明は、物品を保持し、且つ収納されている物品にアクセスする（access：を手に取る）ことを可能にする開口を作るカートンに関する。より詳細には、本発明は、開口特徴部を有するカートンに関する。
【０００２】
［関連出願の相互参照］
本願は、２００４年１０月２９日に出願された米国仮特許出願第６０／６２３,４９７号の利益を主張し、２００４年１２月１０日に出願された米国仮特許出願第６０／５４３,３８２号の利益を主張する２００５年２月９日に出願された米国本出願第１１／０５４,６２９号の一部継続出願であり、上記出願の全内容がそのまま繰り返されるのと同等に参照により本明細書に援用される。
【背景技術】
【０００３】
［発明の背景］
開口特徴部を有する閉じ込めカートン、及び物品を陳列し供給（dispensing）を容易にするための位置決め特徴部を有するカートンが、従来用いられている。位置決め特徴部を有するカートンでは、通常、ユーザがカートンの一部を切り離して、カートンを操作して位置決め組立体を組み立て、その組立体をカートンの下に配置する必要がある。位置決め特徴部がカートンから一旦除去されると、ユーザは位置決め特徴部を元に戻してカートンを再閉することができない。位置決め組立体を所定位置に保持するか又は位置決め組立体をカートン自体に接着するために、接着剤を必要とする位置決め特徴部を含むカートンもある。さらに他のカートンでは、ユーザがカートンに予め形成されているスロットに位置決め組立体を挿入する必要がある。多くの場合、ユーザが位置決め組立体を係合させた後、カートンの構造的完全性が低下するか又は損なわれる。さらに、いくつかの従来の位置決め組立体は、構造的に弱く、過度の重量が加わると潰れ易い。
【発明の開示】
【課題を解決するための手段】
【０００４】
［発明の概要］
本発明は、包括的には、カートンから物品を供給するための開口を形成する開口特徴部を有するカートンに関する。本発明の一実施形態によれば、開口特徴部は、カートンから物品を取り出すための開口を作ることが可能な閉じ込めカートンの蝶着可能（hingeable：ヒンジ式開閉可能）又は切り離し可能部分を提供する引裂き線、一連の引裂き線、切れ目、若しくは刻み目、又は他の分断線によって作ることができる。引裂き線の分離によって作られる開口は、一実施形態では、トップパネルからサイドパネルに延び、約９０度（９０°）の角度で曲がって端部パネルフラップに進んで延びる、ほぼ矩形の開口を含み得る。引裂き線は、概して、トップパネルから両方のサイドパネルに延び、約９０度の角度で曲がって対応するサイドパネル端部フラップに進んで延びる。
【０００５】
ブランクが、各面が平行面の対になっている平行四辺形である平行六面体又は六面体等の閉じ込めカートンに形成されると、トップパネル、サイドパネル、及び出口端部パネルの引裂き線及び切り離し部分を切断することによって、開口を作ることができる。切り離した部分は、再閉するためにカートンに蝶着したままにしてもよく、又はカートンから除去するために引裂き線に沿って切断してもよい。
【０００６】
別の実施形態では、引裂き線は、トップパネルから各サイドパネルに第１の段部分まで延びてもよく、この部分で、引裂き線は所望の踏面（ステップラン（続き）：step run）距離だけ延び、続いて約９０度曲がって所望の蹴上げ（ステップライズ（上がり）：step rise）距離だけ延び、再び約９０度曲がった後で各サイドパネル端部フラップを通って延びる。
【０００７】
別の実施形態では、引裂き線は、両方のサイドパネルに第１の段部分まで所望の距離だけ延びてもよく、この部分で、引裂き線は約９０度曲がって第１の踏面距離だけ延びた後で約９０度曲がって第１の蹴上げ距離だけ延びる。続いて、引裂き線をさらに約９０度曲げることで、第２の踏面距離だけ延びてから約９０度曲がって第２の蹴上げ距離だけ延び、約９０度曲がってサイドパネル端部フラップを通って延びるようにしてもよい。各段部分で引裂き線によって作られる曲がり目は、上がり距離及び続き距離でほぼ垂直であり得るが、通常は、約８０〜９５度の曲がり目の範囲内で約９０度の角度を含む。
【０００８】
さらに別の実施形態では、引裂き線は、トップパネルから各サイドパネルに延びて、約９０度（９０°）の角度で曲がって端部パネルフラップを通って所望の第１の距離だけ延びてもよく、続いてほぼ斜角で所望の第２の距離だけ延びた後で再び曲がってサイドパネル端部フラップの端部に向かって延びてもよい。
【０００９】
さらに別の実施形態では、引裂き線は、トップパネルから一方又は両方のサイドパネルに一定距離だけ延びて斜角で曲がることで、サイドパネル端部フラップに一定距離だけ延びるようにしてもよい。続いて、引裂き線は、より急峻な斜角で曲がって所望の距離だけ曲がり目の点まで延びて、そこからサイドパネル端部フラップの端部に延びることができる。この実施形態及び本明細書で明らかにする他の実施形態は、米国特許出願第１１／０５４,６２９号に詳述されているもの等の位置決め特徴部を含むことができ、当該出願の開示及び図は、その全内容が本明細書でそのまま繰り返されるのと同等に参照により本明細書に援用される。
【００１０】
本発明は、例えば、食品及び飲料等の製品が入った物品を供給するのに用いることができる。これらの物品としては、缶、瓶、及びＰＥＴ容器等の飲料容器、並びに好ましくは食料品の包装に用いられるもの等のほぼ円筒形又は丸形の他の容器を挙げることができる。本発明の一態様では、カートンに、接着剤を用いずに容易に位置決め又は方向付けができる位置決め手段が設けられる。本発明の別の態様では、カートンに、位置決め手段の係合後に再閉することができる位置決め手段が設けられる。本発明のさらなる態様では、カートンに、ユーザがカートンの一部の切り離し及び／又は除去を行う必要がない位置決め手段が設けられる。
【００１１】
慣習に従い、後述する図面の種々の特徴は必ずしも一定の縮尺で描かれていない。図面における種々の特徴及び要素の寸法は、本発明の実施形態をより明確に説明するために拡大又は縮小されている場合がある。
【発明を実施するための最良の形態】
【００１２】
［詳細な説明］
本発明をより完全に理解するために、以下の詳細な説明及び添付図面を参照するが、全図にわたって同様の参照符号は対応する部品を示す。
【００１３】
本発明は、特定の形状に切断されて特定の領域に折り目、切り込み、切れ目、又はミシン目が入れられる、板紙ブランク等のカートンブランクも含む。カートンブランクは、折り目又は折り線間に細長いパネルを画定し、パネルの各端部にフラップを含む。カートンブランクは、完全に組み立てられるとスリーブを形成するように折り曲げられるため、端部フラップを閉じると、組み立てられたカートンは、前端部又は前方端部、後端部、上壁、下壁、前壁及び後壁、並びに第１の側壁及び第２の側壁を有するようになる。
【００１４】
説明のために、本発明は、概して、缶入り飲料を収容するようなサイズ及び寸法にされる板紙カートンとして開示される。図面に示すカートンは、２×６の構成で１２個の物品を保持するようなサイズになっているが、本発明はいかなる特定のサイズ又は寸法にも限定されない。例えば、本発明は、３×４、４×３、２×４、２×５、４×６、４×５、３×６、５×６等、様々な他の包装構成で物品を保持するようなサイズ及び形状にされる場合でも、満足な働きをするであろう。本発明は、物品への容易なアクセスを提供する開口特徴部、及びカートンの前端部に物品を位置決めする傾斜特徴部を含む、種々の独特な特徴部を含むカートンで用いることもできる。
【００１５】
同じく説明のために、本発明は、非斜線、すなわち或るパネルに対しては垂直であり他のパネルに対しては平行であるように示される線と、斜線とによって形成されるディスペンサ（dispenser：供給部）を含んで示されている。しかしながら、本発明は、いかなる特定のサイズ、寸法、向きのディスペンサ、又はディスペンサによって形成される開口にも限定されない。例えば、本発明は、トップパネルからサイドパネルを通って端部パネルまで延びる線等、対向するパネルを通って延びる非斜線又は斜線でディスペンサが形成される場合、満足な働きをするであろう。
【００１６】
同じく説明のために、本明細書で示される容器は、概して、少なくとも下段の缶又は物品がカートンから転がり出ないようにする効果的な障壁を提供する端壁構成を含む。この端壁は、概して、１つの缶の直径又は物品の幅とほぼ同じか、それよりも低いか、又はそれの１／１６を超える高さを有するように形成される。しかしながら、カートンの向き及び／又は構成に応じて、端部パネルは、最下段の缶が容器から転がり出ないようにするのに必要な最短距離よりも高く形成され得る。
【００１７】
図１、図７、図１４、図２１、図２２、及び図２３に、本発明の原理によりカートンに形成することができるブランクの例を示す。これらのブランクはそれぞれ、概して、その各パネル／部分を折り目又は折り線に沿って折り曲げて、ボトムフラップを別のボトムフラップの上に重ねて接着するか又はトップフラップを別のトップフラップの上に重ねて接着してカートンスリーブを形成することによって、カートンに形成される。図示のカートンブランクは、このようにして折り曲げてカートンを形成することができる。概して、フラップ同士を固定してスリーブを形成するために、接着剤又はコンパウンド等の固定手段が塗布される。カートンがスリーブに形成されると、缶等の物品をスリーブに入れることができ、両端部の端部フラップを閉じることができる。端部フラップも、通常は糊又は他の手段によってつなぎ合わせられる。
【００１８】
図１に示すブランク１は、ボトムパネル１０、サイドパネル２０、トップパネル３０、サイドパネル４０、及び接着パネル５０を含む。ボトムパネル１０は、折り線２１に沿ってサイドパネル２０に接続される。サイドパネル２０は、折り線３１でトップパネル３０に接続される。トップパネル３０は、折り線４１でサイドパネル４０に接続される。サイドパネル４０は、折り線５１で接着パネル５０に接続される。図１のブランク１は、折り目６２及びアクセスポート６１を有するハンドル６０を含むようにも示されており、これは、所望に応じてカートンを移動又は搬送できるようにするために、手、指、又はハンドルと係合する他の装置を受け入れることができる。
【００１９】
パネル１０、２０、３０、及び４０は、折り線２１、３１、４１、及び５１に対してほぼ垂直な折り線５２及び５４によってこれらから隔てられる端部フラップに接続される。端部フラップは、ブランク１の第１の周辺領域８に沿って延びる。具体的には、ボトムパネル１０は、折り線５２に沿ってボトルパネル端部フラップ１２に接続され、折り線５４に沿ってボトムパネル端部フラップ１４に接続される。サイドパネル２０は、折り線５２に沿ってサイドパネル端部フラップ２２に接続され、折り線５４に沿ってサイドパネル端部フラップ２４に接続される。トップパネル３０は、折り線５２に沿ってトップパネル端部フラップ３２に接続され、折り線５４に沿ってトップパネル端部フラップ３４に接続される。サイドパネル４０は、折り線５２に沿ってサイドパネル端部フラップ４２に接続され、折り線５４に沿ってサイドパネル端部フラップ４４に接続される。
【００２０】
引裂き線６５が、図１のブランク１に示されており、サイドパネル端部フラップ２２及び４２、サイドパネル２０及び４０、並びにトップパネル３０を通って延びる。カートンが形成されると、この引裂き線は、中に閉じ込められている容器を取り出すことができるようにする開口を閉じ込めカートンに形成するように開放可能である切り離し可能部分７０（図２〜図４）を作るために、分離可能である。切り離し可能部分は、蝶着したままであってもよく、又はカートンから完全に除去してもよい。引裂き線に沿ってトップパネル３０に形成されるアクセス開口８６が、引裂き線に沿ってトップパネル３０に形成され、８８に縁部開口を画定する。
【００２１】
概して、引裂き線６５（図１）は、一連のセクション又は部分を含み、７８で示すようにトップパネルを横切って各サイドパネルに、サイドパネル２０では引裂き線８０に沿って、サイドパネル４０では引裂き線７６に沿って、指定の距離だけ延びる。概して、この引裂き線は、サイドパネルのそれぞれで非斜角で、トップパネルに対してほぼ垂直に、すなわち約９０度（９０°）の角度で延び、サイドパネルを通って各サイドパネル端部フラップに進む。したがって、引裂き線７６は、サイドパネル４０に形成された引裂き線７４につながって折り線５２と交わり、サイドパネル端部フラップ４２に入り引裂き線７２に沿ってその外周縁まで延びる。同様に、引裂き線８０は、サイドパネル２０を通って、同じくサイドパネル２０に形成された引裂き線８２まで延び、これが折り線５２まで延びてサイドパネル端部フラップ２２に入り引裂き線８４に沿ってその外周縁まで延びる。
【００２２】
引裂き線は、概して、開口が作られると閉じ込めカートン内に下端の容器を保持したまま切り離し可能部分を形成することができる距離だけ、各サイドパネル２０及び４０に延びる。図に示されるこの距離Ｄは、概して、サイドパネル２０、４０における缶の直径の３０％〜２００％の範囲とすることができ、閉じ込めカートン内に下段の容器を保持するために、閉じ込めカートンが載っている支持面ＳＳから延びることができる。距離Ｄは、折り線２１から折り線３１までを含んで測定した任意の距離であり得る。したがって、各サイドパネルでの引裂き線のこの距離すなわち高さは、閉じ込めカートン内の容器の直径よりも大きくても小さくてもよく、又は閉じ込めカートン内に容器を保持することが可能なカートンの直径の或る割合であってもよい。例えば、この高さは、５％、１０％、２０％、３０％、４０％、５０％、５５％、６５％、７５％、８５％、９５％、又はこれらの割合の任意の増分又は範囲であり得る。さらに、この割合又は範囲は、容器Ｃの直径よりも大きくてもよく、例えば下段の容器の直径の１０５％〜２００％であってもよい。カートンが３段又は４段等の２段を超える容器を閉じ込めるように形成される場合、各サイドパネルの引裂き線の高さは、これらの割合よりも大きくても小さくてもよい。
【００２３】
図２は、図１のブランクから形成されたスリーブを示す。概して、スリーブは、接着パネル５０等の接着フラップに接着剤を塗布し、接着パネル５０をボトムパネル１０に固定することによって形成される。図１に示すブランク１は、例えば、互いに接着固定されるとボトムパネル又はトップパネルになる２つの折り曲げパネルを有する５パネルブランクを提供するように、異なる構成で形成されてもよい。
【００２４】
図３は、閉じ込めカートン内に容器を確保するために端部パネルフラップが閉じられて接着固定された、図２のスリーブを示す。これらの容器は、概して、図２のスリーブに押し込められるか又は他の方法で入れられ、端部パネルフラップが閉じられて、図３に示すような閉じ込めカートンの２つの端部を固定して作る。同じく図３に示すように、概して、出来上がったカートンのフィンガフラップ８６又は他のアクセス特徴部のためのアクセス開口が、縁部８８に沿って作られて、ユーザが、開口を作るためにカートンの出口端部の切り離し可能部分を引裂き線に沿ってより容易に分離できるようにする。
【００２５】
図４は、カートンから容器Ｃを取り出すことができるようにする開口を作るために、切り離し可能部分７０が引裂き線に沿ってヒンジ式に切り離される様子を示す。図４に示すように、切り離し可能部分は、出口端部に形成された引裂き線に沿って蝶着したままにすることができ、出口端部に隣接する上段等から容器Ｃを供給することが可能である。
【００２６】
図５に示すように、切り離し可能部分は、切り離し可能部分が引裂き線に沿って作られた後でカートンを再閉するために蝶着させることができる。図６は、切り離し可能部分が出口端部において引裂き線に沿って切り離されてカートンから完全に除去された様子を示す。
【００２７】
図７に示すブランク１０１は、ボトムパネル１１０、サイドパネル１２０、トップパネル１３０、サイドパネル１４０、及び接着パネル１５０を含む。ボトムパネル１１０は、折り線１２１に沿ってサイドパネル１２０に接続される。サイドパネル１２０は、折り線１３１でトップパネル１３０に接続される。トップパネル１３０は、折り線１４１でサイドパネル１４０に接続される。サイドパネル１４０は、折り線１５１で接着パネル１５０に接続される。図７のブランク１０１は、折り目１６２及びアクセスポート１６１を有するハンドル１６０を含むようにも示されており、これは、所望に応じてカートンを移動又は搬送できるようにするために、手、指、又はハンドルと係合する他の装置を受け入れることができる。
【００２８】
パネル１１０、１２０、１３０、及び１４０は、折り線１２１、１３１、１４１、及び１５１に対してほぼ垂直に配置される折り線１５２及び１５４によってこれらから隔てられる端部フラップに接続される。端部フラップは、ブランク１０１の第１の周辺領域１０８に沿って延びる。具体的には、ボトムパネル１１０は、折り線１５２に沿ってボトルパネル端部フラップ１１２に接続され、折り線１５４に沿ってボトムパネル端部フラップ１１４に接続される。サイドパネル１２０は、折り線１５２に沿ってサイドパネル端部フラップ１２２に接続され、折り線１５４に沿ってサイドパネル端部フラップ１２４に接続される。トップパネル１３０は、折り線１５２に沿ってトップパネル端部フラップ１３２に接続され、折り線１５４に沿ってトップパネル端部フラップ１３４に接続される。サイドパネル１４０は、折り線１５２に沿ってサイドパネル端部フラップ１４２に接続され、折り線１５４に沿ってサイドパネル端部フラップ１４４に接続される。
【００２９】
引裂き線１６５が、図７のブランク１０１に示されており、サイドパネル端部フラップ１２２及び１４２、サイドパネル１２０及び１４０、並びにトップパネル１３０を通って延びる。カートンが形成されると、この引裂き線は、中に閉じ込められている容器を取り出すことができるようにする開口を閉じ込めカートンに作るための切り離し可能部分１７０を作ることができる。アクセス開口１８６が、引裂き線に沿ってトップパネル１３０に形成され、１８８で示す縁部開口を画定する。
【００３０】
概して、引裂き線は、１７８で示すようにトップパネルを横切って各サイドパネルに、サイドパネル１２０では引裂き線１８０に沿って、サイドパネル１４０では引裂き線１７６に沿って、指定又は所望の距離だけ延びる。概して、この引裂き線は、サイドパネルのそれぞれで非斜角で、トップパネルに対してほぼ垂直に、すなわち約９０度（９０°）の角度で延び、サイドパネルを通って各サイドパネル端部フラップに進む。引裂き線１７６は、サイドパネル１４０に第１の段部分まで一定距離だけ延びて約９０度曲がって第１の踏面距離１７５だけ延び、続いて約９０度曲がって第１の蹴上げ距離１７３だけ延び、続いて約９０度曲がって引裂き線１７４に沿って延びて折り線１５２と交わり、サイドパネル端部フラップ１４２に入り引裂き線１７２に沿ってその外周縁まで延びる。同様に、引裂き線１８０は、サイドパネル１２０を通って第１の段部分まで延びて約９０度曲がって第１の踏面距離１８５だけ延び、続いて約９０度曲がって第１の蹴上げ距離１８３だけ延び、続いて約９０度曲がって引裂き線１８２に沿って延びて折り線１５２と交わり、サイドパネル端部フラップ１２２に入り引裂き線１８４に沿ってその外周縁まで延びる。
【００３１】
概して、図７のブランク１０１に含まれる階段は、切り離し可能部分１７０の除去時にユーザが閉じ込めカートンに開口を作るのに役立つ。階段部分は、力の漸増が少なくて済む、切り離し可能部分を切り離して閉じ込めカートンに開口を作るための段階的な引裂き線切り離し領域を形成することによって、階段のない切り離し可能部分に生じる力を軽減することができる。
【００３２】
図８は、図７のブランクから形成されたスリーブを示す。概して、スリーブは、接着パネル１５０等の接着フラップに接着剤を塗布し、接着パネル１５０をボトムパネル１１０に固定することによって形成される。図７に示すブランク１０１は、例えば、ボトムパネルになって互いに接着固定される２つの折り曲げパネルを有する５パネルブランクを提供するように、異なる構成で形成されてもよい。
【００３３】
図９は、閉じ込めカートン内に容器を確保するために端部パネルフラップが閉じられて接着固定された、図８のスリーブを示す。これらの容器は、概して、図８のスリーブに挿入され、端部パネルフラップが閉じられて、閉じ込めカートンの２つの端部を固定して作る。図１０は、ユーザの指とのアクセス開口の係合を示す。出来上がったカートンのフィンガフラップ１８６又は他のアクセス特徴部のためのアクセス開口は、概して、縁部１８８に沿って作られて、ユーザが、閉じ込めカートンから容器Ｃを取り出すための開口を作るためにカートンの出口端部の切り離し可能部分を引裂き線に沿ってより容易に分離できるようにする。
【００３４】
図１１は、カートンから容器Ｃを取り出すことができるようにする開口を作るために、切り離し可能部分１７０が引裂き線に沿ってヒンジ式に切り離される様子を示す。図１１に示すように、切り離し可能部分は、出口端部に形成された引裂き線に沿って蝶着したままにすることができ、切り離し可能部分の開口特徴部において出口端部に隣接する上段から容器Ｃを受け取ることができる。
【００３５】
図１２に示すように、切り離し可能部分１７０は、閉じ込めカートンから容器が取り出された後で閉じ込めカートン内の残りの容器を閉じ込めるためにヒンジ式に再閉することができる。図１３は、開口を作って閉じ込めカートンからの切り離し可能部分の切り離しを可能にするために、切り離し可能部分を出口端部における引裂き線に沿って切り離した様子を示す。
【００３６】
図１４に示すブランク２０１は、ボトムパネル２１０、サイドパネル２２０、トップパネル２３０、サイドパネル２４０、及び接着パネル２５０を含む。ボトムパネル２１０は、折り線２２１に沿ってサイドパネル２２０に接続される。サイドパネル２２０は、折り線２３１でトップパネル２３０に接続される。トップパネル２３０は、折り線２４１でサイドパネル２４０に接続される。サイドパネル２４０は、折り線２５１で接着パネル２５０に接続される。図１４のブランク２０１は、折り目２６２及びアクセスポート２６１を有するハンドル２６０を含むようにも示されており、これは、所望に応じてカートンを移動又は搬送できるようにするために、手、指、又はハンドルと係合する他の装置を受け入れることができる。
【００３７】
パネル２１０、２２０、２３０、及び２４０は、折り線２２１、２３１、２４１、及び２５１に対してほぼ垂直な折り線２５２及び２５４によってこれらから隔てられる端部フラップに接続される。端部フラップは、ブランク２０１の第１の周辺領域２０８に沿って延びる。具体的には、ボトムパネル２１０は、折り線２５２に沿ってボトルパネル端部フラップ２１２に接続され、折り線２５４に沿ってボトムパネル端部フラップ２１４に接続される。サイドパネル２２０は、折り線２５２に沿ってサイドパネル端部フラップ２２２に接続され、折り線２５４に沿ってサイドパネル端部フラップ２２４に接続される。トップパネル２３０は、折り線２５２に沿ってトップパネル端部フラップ２３２に接続され、折り線２５４に沿ってトップパネル端部フラップ２３４に接続される。サイドパネル２４０は、折り線２５２に沿ってサイドパネル端部フラップ２４２に接続され、折り線２５４に沿ってサイドパネル端部フラップ２４４に接続される。
【００３８】
引裂き線２６５が、図１４のブランク２０１に示されており、サイドパネル端部フラップ２２２及び２４２、サイドパネル２２０及び２４０、並びにトップパネル２３０を通って延びる。カートンが形成されると、この引裂き線は、中に閉じ込められている容器を取り出すことができるようにする開口を閉じ込めカートンに形成するように開放可能な切り離し可能部分２７０を形成するために、分離可能である。引裂き線に沿ってトップパネル２３０に形成されるアクセス開口２８６が、引裂き線に沿ってトップパネル２３０に形成され、２８８に縁部開口を画定する。
【００３９】
概して、引裂き線は、一連のセクション又は部分を含み、２７８で示すようにトップパネルを横切って各サイドパネルに、サイドパネル２２０では引裂き線２８０に沿って、サイドパネル２４０では引裂き線２７６に沿って、指定の距離だけ延びる。概して、この引裂き線は、サイドパネルのそれぞれで非斜角で、トップパネルに対してほぼ垂直に、すなわち約９０度（９０°）の角度で延び、サイドパネルを通って各サイドパネル端部フラップに進む。引裂き線２７６は、サイドパネル２４０に第１の段部分まで一定距離だけ延びて約９０度曲がって第１の踏面距離２９３だけ延び、続いて約９０度曲がって第１の蹴上げ距離２９１だけ延び、続いて約９０度曲がって第２の踏面距離２７５だけ延び、続いて約９０度曲がって第２の蹴上げ距離２７３だけ延び、約９０度曲がって引裂き線２７４に沿って延びて折り線２５２と交わり、サイドパネル端部フラップ２４２に入り引裂き線２７２に沿ってその外周縁まで延びる。同様に、引裂き線１８０は、サイドパネル２２０を通って第１の段部分まで延びて約９０度曲がって第１の踏面距離２９７だけ延び、続いて約９０度曲がって第１の蹴上げ距離２９５だけ延び、続いて約９０度曲がって第２の踏面距離２８５だけ延び、続いて約９０度曲がって第２の蹴上げ距離２８３だけ延び、約９０度曲がってサイドパネル端部フラップに延びそこを通って、引裂き線２８２に沿って延びて折り線２５２と交わり、サイドパネル端部フラップ２２２に入り引裂き線２８４に沿ってその外周縁まで延びる。
【００４０】
トップパネルに形成されたフィンガフラップ２８８を除去することによって、切り離し可能部分２７０が形成され、この切り離し可能部分を切り離すことで、閉じ込めカートンに開口が形成される。切り離し可能部分は、形成されたカートンに蝶着したままにしてもよく、又は形成されたカートンから完全に除去してもよい。
【００４１】
概して、図１４のブランク２０１に含まれる階段は、切り離し可能部分２７０の除去時にユーザが閉じ込めカートンに開口を作るのに役立つ。階段部分は、力の漸増が少なくて済む、切り離し可能部分を切り離して閉じ込めカートンに開口を作るための段階的な引裂き線切り離し領域を形成することによって、階段のない切り離し可能部分に生じる力を軽減することができる。
【００４２】
図１５は、図１４のブランクから形成されたスリーブを示す。概して、スリーブは、接着パネル２５０等の接着フラップに接着剤を塗布し、接着パネル２５０をボトムパネル２１０に固定することによって形成される。図１４に示すブランク２０１は、例えば、ボトムパネルになって互いに接着固定される２つの折り曲げパネルを有する５パネルブランクを提供するように、異なる構成で形成されてもよい。
【００４３】
図１６は、閉じ込めカートン内に容器を確保するために端部パネルフラップが閉じられて接着固定された、図１５のスリーブを示す。これらの容器は、概して、図１５のスリーブに挿入され、端部パネルフラップが閉じられて、閉じ込めカートンの２つの端部を固定して作る。図１７は、ユーザの指とのアクセス開口の係合を示す。フィンガフラップのためのアクセス開口が、縁部２８８に沿って作られて、ユーザが、閉じ込めカートンから容器Ｃを取り出すための開口を作るためにカートンの出口端部の切り離し可能部分を引裂き線に沿ってより容易に分離できるようにする。
【００４４】
図１８は、カートンから容器Ｃを取り出すことができるようにする開口を作るために、切り離し可能部分が引裂き線に沿ってヒンジ式に切り離される様子を示す。図１８に示すように、切り離し可能部分は、出口端部に形成された引裂き線に沿って蝶着したままにすることができ、切り離し可能部分の開口特徴部において出口端部に隣接する上段から容器Ｃを受け取ることができる。
【００４５】
図１９に示すように、切り離し可能部分は、閉じ込めカートンから容器が取り出された後で閉じ込めカートン内の残りの容器を閉じ込めるためにヒンジ式に再閉することができる。図２０は、開口を作って閉じ込めカートンからの切り離し可能部分の切り離しを可能にするために、切り離し可能部分を出口端部における引裂き線に沿って切り離した様子を示す。
【００４６】
図２１に示すブランクは、図１、図７、及び図１４に示すブランクと類似しているが、サイドパネル端部フラップに代替的な向きで引裂き線が形成されている。図２１に示すように、引裂き線は、トップパネルのフィンガフラップ３８６から縁部３８８に沿って各サイドパネルに、トップパネルに対してほぼ垂直な方向に、約９０度（９０°）の角度の曲がり目まで延びる。続いて、引裂き線は、各サイドパネル端部フラップに一定距離だけ延びてから斜角でさらに一定距離だけ延びて曲がり、サイドパネル端部フラップの外周縁部分まで延びる。サイドパネル端部フラップの切り取り深さＤは、所望に応じて変えることができ、概して、上述したのとほぼ同様の範囲を含む。
【００４７】
図２１に示すブランク３０１は、ボトムパネル３１０、サイドパネル３２０、トップパネル３３０、サイドパネル３４０、及び接着パネル３５０を含む。ボトムパネル３１０は、折り線３２１に沿ってサイドパネル３２０に接続される。サイドパネル３２０は、折り線３３１でトップパネル３３０に接続される。トップパネル３３０は、折り線３４１でサイドパネル３４０に接続される。サイドパネル３４０は、折り線３５１で接着パネル３５０に接続される。図２１のブランク３０１は、折り目３６２及びアクセスポート３６１を有するハンドル３６０を含むようにも示されており、これは、所望に応じてカートンを移動又は搬送できるようにするために、手、指、又はハンドルと係合する他の装置を受け入れることができる。
【００４８】
パネル３１０、３２０、３３０、及び３４０は、折り線３２１、３３１、３４１、及び３５１に対してほぼ垂直な折り線３５２及び３５４によってこれらから隔てられる端部フラップに接続される。端部フラップは、ブランク３０１の第１の周辺領域３０８に沿って延びる。具体的には、ボトムパネル３１０は、折り線３５２に沿ってボトルパネル端部フラップ３１２に接続され、折り線３５４に沿ってボトムパネル端部フラップ３１４に接続される。サイドパネル３２０は、折り線３５２に沿ってサイドパネル端部フラップ３２２に接続され、折り線３５４に沿ってサイドパネル端部フラップ３２４に接続される。トップパネル３３０は、折り線３５２に沿ってトップパネル端部フラップ３３２に接続され、折り線３５４に沿ってトップパネル端部フラップ３３４に接続される。サイドパネル３４０は、折り線３５２に沿ってサイドパネル端部フラップ３４２に接続され、折り線３５４に沿ってサイドパネル端部フラップ３４４に接続される。
【００４９】
図２１に示す引裂き線３６５は、トップパネル３３０から引裂き線３７８に沿って折り線３３１及び３４１を越えてサイドパネルまで延びる。サイドパネル３２０では、引裂き線は、３８０で示すように垂直角度まで延びて曲がり、引裂き線３８２に沿って折り線３５２を越えて延びてサイドパネル端部フラップ３２２に入り、引裂き線３８４に沿って延びる。サイドパネル３４０では、引裂き線は、折り線３４１から引裂き線３７６に沿って約９０度の曲がり目まで延び、引裂き線３７４に沿って折り線３５２を越えて延びてサイドパネル端部フラップ３４２に入り、引裂き線３７２に沿って延びてサイドパネル端部フラップ３４２の外周縁部分まで延びる。
【００５０】
図２２は、カートンを形成することができる代替的なブランクを示す。図２２に示すブランク４０１は、第１のボトムパネル４１０、サイドパネル４２０、トップパネル４３０、サイドパネル４４０、及び第２のボトムパネル４５０を含む。第１のボトムパネル４１０は、折り線４２１に沿ってサイドパネル４２０に接続される。サイドパネル４２０は、折り線４３１でトップパネル４３０に接続される。トップパネル４３０は、折り線４４１でサイドパネル４４０に接続される。サイドパネル４４０は、折り線４５１で第２のボトムパネル４５０に接続される。図２２のブランク４０１は、折り目４６２及びアクセスポート４６１を有するハンドル４６０を含み、これは、所望に応じてカートンを移動又は搬送できるようにするために、手、指、又はハンドルと係合する他の装置を受け入れることができる。
【００５１】
パネル４１０、４２０、４３０、４４０、及び４５０は、折り線４２１、４３１、４４１、及び４５１に対してほぼ垂直な折り線４５２及び４５４によってこれらから隔てられる端部フラップに接続される。端部フラップは、ブランク４０１の第１の周辺領域４０８に沿って延びる。具体的には、第１のボトムパネル４１０は、折り線４５２に沿ってボトルパネル端部フラップ４１２に接続され、折り線４５４に沿ってボトムパネル端部フラップ４１４に接続される。サイドパネル４２０は、折り線４５２に沿ってサイドパネル端部フラップ４２２に接続され、折り線４５４に沿ってサイドパネル端部フラップ４２４に接続される。トップパネル４３０は、折り線４５２に沿ってトップパネル端部フラップ４３２に接続され、折り線４５４に沿ってトップパネル端部フラップ４３４に接続される。サイドパネル４４０は、折り線４５２に沿ってサイドパネル端部フラップ４４２に接続され、折り線４５４に沿ってサイドパネル端部フラップ４４４に接続される。第２のボトムパネル４５０は、折り線４５２に沿ってボトムパネル端部フラップ４５６に接続され、折り線４５４に沿ってボトムパネル端部フラップ４５８に接続される。
【００５２】
図２２のブランクにおいて、長い引裂き線４６５によって画定される開口部分４７０は、図２１のブランクに示す開口部分３７０とほぼ同様であるが、サイドパネル４２０及び４４０の引裂き線は、引裂き線４７８からサイドパネル４２０及び４４０に延びてから、サイドパネル端部フラップ４２２及び４４２に進んで延びる。具体的には、引裂き線４７８は、折り線４３１を越えてサイドパネル４２０に入り、引裂き線に沿って距離４８０だけ延び、斜角で曲がって引裂き線４８２に沿って延び、折り線４５２と交わって一定距離だけ延び、より急峻な斜角で曲がって引裂き線４８４に沿って延びて曲がり、引裂き線４８５に沿ってサイドパネル端部フラップ４２２の外周縁まで延びる。トップパネル４３０では、フィンガフラップ４８６が引裂き線４７８において縁部４８８に沿って延びる。サイドパネル４４０の引裂き線は、折り線４４１から距離４７６だけ続いて斜角で曲がり、引裂き線４７４に沿って続いて折り線４５２と交わり、引裂き線４７１に沿ってサイドパネル端部フラップ４４２に一定距離だけ続いて斜角で曲がり、引裂き線４７２に沿って延びて曲がり、引裂き線４７５に沿ってサイドパネル端部フラップ４４２の外周縁まで延びる。図２２に示す開口特徴部４７０の距離Ｄは、図１、図７、図１４、及び図２１に示すブランクと類似の高さにすることができ、概して、下段の容器を保持する。上記で詳述した実施形態からの高さ等、代替的な高さも包含される。
【００５３】
同じく図２２のブランク４０１に示すように、位置決め特徴部が含まれる。位置決め特徴部は、カートンを重力送りに従ってカートンの前端部すなわち出口端部に向かって進ませるために、カートンの後端部すなわち非出口端部をカートンの出口端部よりも上の高さに位置付けるように係合させることができる、傾斜組立体又は位置決め組立体を含むことが最適であり得る。図２２のブランク４０１に示すように、位置決め特徴部は、概して、閉じ込めカートンの位置決め特徴部を作るようになっている２本の別個の、但しほぼ同様の折り線を含む。図示のように、開口特徴部は、パネルが接着接続されると一体的な位置決め組立体又は機構を形成する、位置決め特徴部部分５１０及び５２０を含む。
【００５４】
位置決め特徴部５１０は、ボトムパネル４５０に形成される折り線５０１を含み、これは、折り線４５１と交わる引裂き線５０２と、サイドパネル４４０に形成されてこれに沿って延びて折り線４５４と交わる引裂き線５０４とに向かって延びる。引裂き線５０４からは引裂き線５０５が延びてサイドパネル端部フラップ４４４に進み、サイドパネル端部フラップ４４４の外周縁に延びる引裂き線５０６とつながる。サイドパネル端部フラップ４４４には、折り線５０７も含まれ、これにより、ブランク又はカートンから位置決め特徴部を切り離して位置決め特徴部を形成するためにアクセス開口を作ることが可能になる。さらに、位置決め組立体を折り曲げる助けとなるように、折り線５０３をボトムパネル４５０に含むことができる。
【００５５】
図２２に示す位置決め特徴部５２０は、ボトムパネル４１０に形成されて引裂き線５１２まで延びる折り線５１１を含み、引裂き線５１２は、折り線５１１からボトムパネル４１０とサイドパネル４２０との間の折り線４２１まで斜角で延びる。折り線４２１から折り線４５４と交わるまで引裂き線５１４が延び、フラップ４２４に入って引裂き線５１５に沿って延び、引裂き線５１５は引裂き線５１４に対して斜角で引裂き線５１６まで延び、引裂き線５１６はサイドパネル端部フラップ４２４の外周縁まで延びる。折り線５０７並びに引裂き線５０６及び５１６とともに、位置決め特徴部５１０及び５２０の切り離しを助けて閉じ込めカートンにおける位置決め組立体の形成及び使用を可能にすることができるアクセス開口を作ることができるように、折り線５１７をサイドパネル端部フラップ４２４に含むことができる。ボトムパネル４１０には折り線５１３も含まれ、これは折り線５０３、５１０、及び５２０を助けて、閉じ込めカートンの底部分に沿って位置決め特徴部を折り曲げて、閉じ込めカートンが支持面上に配置されると出口端部に向かって容器の重力送りを可能にする位置に位置決め特徴部を配置することができるようにする。ブランク４０１からのカートンの形成を助けるために、型押し領域５２３がボトムパネル端部フラップ４１２に形成され、型押し領域５２５がボトムパネル端部フラップ４１４に形成される。これらの型押し領域５２３、５２５は、概して、ボトムパネル端部フラップ４１２及び４１４の型押し領域５２３及び５２５の周りの領域よりもわずかに高い位置にある、接着補助領域である。ブランク４０１を隆起ブロックに対して型押し又は他の方法で押し付けることで、領域５２３及び５２５において２枚重ねの厚さとほぼ同じ高さのわずかに隆起した部分を形成することができる。
【００５６】
位置決め特徴部は、カートンの後端部を、カウンター、冷蔵庫の棚、又は閉じ込めカートンを支持しているキャビネット若しくは棚等の支持面よりも上に持ち上げることができるように係合させることができる。カートンが手動で持ち上げ位置に配置されると、閉じ込めカートン内の容器又は物品は、それに従って後端部から前端部すなわち出口端部に向かって重力送りによって前方に転がるようになる。したがって、カートンは、全ての物品がカートンの前端部すなわち出口端部に向かって進むにつれて、ユーザがこれらを出口端部において個別に供給することを可能にするように位置決めされ得る。概して、位置決め組立体又は傾斜組立体は、位置決め特徴部５１０及び５２０を引裂き線５０６及び５１６に沿って切り離してアクセス開口にアクセスし、折り線５０７及び５１７に沿ってアクセス開口を折り曲げることによって、係合させることができる。位置決め特徴部の係合は、通常、位置決め特徴部の押し込み及び／又は引き出しを行って引裂き線に沿って分離することを含む。引裂き線５０５及び５１５は、サイドパネル端部フラップ４４４及び４２４に沿ってそれぞれ分離し、引裂き線５０４及び５１４はさらに、サイドパネル４４０及び４２０に沿ってそれぞれ分離して、ボトムパネル４５０及び４１０の引裂き線５０２及び５１２それぞれも切り離すようにする。続いて、位置決め組立体の位置決め特徴部を折り線５０１、５１１、５０３、５１３に沿って折り曲げて、位置決め特徴部を所定位置に嵌める。続いて、カートンを支持面から持ち上げ、位置決め特徴部又は傾斜特徴部を、重力送りによってカートン内の容器を出口端部に向かって押し進めるか又は他の方法で促すように動作可能な位置に配置するように、任意の方法で位置決めすることができる。
【００５７】
図２３に示すブランク６０１は、第１のボトムパネル６１０、サイドパネル６２０、トップパネル６３０、サイドパネル６４０、及び第２のボトムパネル６５０を含む。第１のボトムパネル６１０は、折り線６２１に沿ってサイドパネル６２０に接続される。サイドパネル６２０は、折り線６３１でトップパネル６３０に接続される。トップパネル６３０は、折り線６４１でサイドパネル６４０に接続される。サイドパネル６４０は、折り線６５１で第２のボトムパネル６５０に接続される。図２３のブランク６０１は、折り目６６２及びアクセスポート６６１を有するハンドル６６０を含むようにも示されており、これは、所望に応じてカートンを移動又は搬送できるようにするために、手、指、又はハンドルと係合する他の装置を受け入れることができる。
【００５８】
パネル６１０、６２０、６３０、６４０、及び６５０は、折り線６２１、６３１、６４１、及び６５１に対してほぼ垂直な折り線６５２及び６５４によってこれらから隔てられる端部フラップに接続される。端部フラップは、ブランク６０１の第１の周辺領域６０８に沿って延びる。具体的には、第１のボトムパネル６１０は、折り線６５２に沿ってボトルパネル端部フラップ６１２に接続され、折り線６５４に沿ってボトムパネル端部フラップ６１４に接続される。サイドパネル６２０は、折り線６５２に沿ってサイドパネル端部フラップ６２２に接続され、折り線６５４に沿ってサイドパネル端部フラップ６２４に接続される。トップパネル６３０は、折り線６５２に沿ってトップパネル端部フラップ６３２に接続され、折り線６５４に沿ってトップパネル端部フラップ６３４に接続される。サイドパネル６４０は、折り線６５２に沿ってサイドパネル端部フラップ６４２に接続され、折り線６５４に沿ってサイドパネル端部フラップ６４４に接続される。第２のボトムパネル６５０は、折り線６５２に沿ってボトムパネル端部フラップ６５６に接続され、折り線６５４に沿ってボトムパネル端部フラップ６５８に接続される。
【００５９】
引裂き線６６５が、図２３のブランク６０１に示されており、サイドパネル端部フラップ６２２及び６４２、サイドパネル６２０及び６４０、並びにトップパネル６３０を通って延びる。カートンが形成されると、この引裂き線は、中に閉じ込められている容器を取り出すことができるようにする開口を閉じ込めカートンに作るように開放可能な切り離し可能部分６７０を作るように分離可能である。切り離し可能部分は、蝶着したままであってもよく、又はカートンから完全に除去してもよい。引裂き線に沿ってトップパネル６３０に形成されるアクセス開口６８６が、引裂き線に沿ってトップパネルに形成され、６８８に縁部開口を画定する。
【００６０】
概して、引裂き線６６５は、一連のセクション又は部分を含み、６７８で示すようにトップパネルを横切って各サイドパネルに、サイドパネル６２０では引裂き線６８０に沿って、サイドパネル６４０では引裂き線６７６に沿って、所定の距離だけ延びる。概して、この引裂き線は、サイドパネルのそれぞれで非斜角で、トップパネルに対してほぼ垂直に、すなわち約９０度（９０°）の角度で延び、サイドパネルを通って各サイドパネル端部フラップに進む。したがって、引裂き線６７６は、サイドパネル６４０に形成された引裂き線６７４とつながって折り線６５２と交わり、サイドパネル端部フラップ６４２に入り引裂き線６７２に沿ってその外周縁まで延びる。同様に、引裂き線６８０は、サイドパネル６２０を通って、同じくサイドパネル６２０に形成された引裂き線６８２とつながり、折り線６５２まで延びてサイドパネル端部フラップ６２２に入り引裂き線６８４に沿ってその外周縁まで延びる。
【００６１】
引裂き線は、概して、開口が作られると閉じ込めカートン内に下端の容器を保持したまま切り離し可能部分を形成することができる距離だけ、各サイドパネル６２０及び６４０に延びる。図に示されるこの距離Ｄは、概して、サイドパネル６２０、６４０における容器の直径の約１０５％〜２００％の範囲（ブランクの幅を除く。これは、ボトムパネル又は閉じ込めカートンが載る支持面からのＤの実際の高さが、容器の直径の２００％よりもわずかに大きくなる可能性があり、例えば、トップパネルに隣接する部分を含む、折り線６３１、６４１に沿って延びる引裂き線の一部に位置する場合があることを示す）とすることができ、（概して折り線６２１において）閉じ込めカートン内に下段の容器を保持するために閉じ込めカートンが載っている支持面ＳＳから延びることができる。したがって、図２３の各サイドパネルでの引裂き線のこの距離すなわち高さは、閉じ込めカートン内の容器の直径よりも大きく、閉じ込めカートン内に容器を保持することが可能なカートンの直径の割合分だけ大きくすることができる。距離Ｄは、折り線６２１から折り線６３１及び６４１までを含んで測定した任意の距離であり得る。例えば、この高さは、１０５％、１１０％、１２０％、１３０％、１４０％、１５０％、１５５％、１６５％、１７５％、１８５％、１９５％、又は２００％を含むこれらの割合の任意の増分又は範囲であり得る。カートンが３段又は４段等の２段を超える容器を閉じ込めるように形成される場合、各サイドパネルの引裂き線の高さは、これらの割合よりも大きくても小さくてもよい。
【００６２】
切り離し可能部分６７０は、大部分がトップパネルにある引裂き線に沿って、例えば、引裂き線６７８に沿った縁部６８８におけるフィンガフラップ６８６に沿って、折り線６３１及び６４１を越えて進んで折り線６５２まで形成され得る。この例の引裂き線は、続いて折り線６５２に沿って延びて、引裂き線６７８、折り線６３１を通って延びる引裂き線、折り線６４１を通って延びる引裂き線、及びトップパネル６３０とトップパネル端部フラップ６３２との間の交線にある折り線６５２に沿って延びる引裂き線に沿って画定される切り離し可能部分を形成してもよい。代替的に、この例の引裂き線は、折り線６５２を越えて出口端部に、またサイドパネル端部フラップ６２２、トップパネル端部フラップ６３２、及びサイドパネル端部フラップ６４２の一部の任意の組み合わせに延びてもよい。この代替形態は、引裂き線６７８、折り線６３１を通って延びる引裂き線、折り線６４１を通って延びる引裂き線に沿って、出口端部に、これらの内側の任意の構成で画定される切り離し可能部分を形成することができ、これには、ボトムパネル（複数可）まで延びる斜角及び非斜角の深い切れ目、又はボトムパネル（複数可）に向かって出口端部に部分的にのみ延びる浅い切れ目の任意の組み合わせが含まれる。
【００６３】
同じく図２３のブランク６０１に示すように、位置決め特徴部が含まれる。位置決め特徴部は、図２２の位置決め特徴部５１０、５２０と類似しており、カートンを重力送りに従ってカートンの前端部すなわち出口端部に向かって進ませるために、カートンの後端部すなわち非出口端部をカートンの出口端部よりも上の高さに位置付けるように係合させることができる、傾斜組立体又は位置決め組立体を含むことが最適であり得る。図２３のブランク６０１に示すように、位置決め特徴部は、概して、閉じ込めカートンの位置決め特徴部を作るようになっている２本の別個の、但しほぼ同様の折り線を含む。図示のように、開口特徴部は、パネルが接着接続されると一体的な位置決め組立体又は機構を形成する、位置決め特徴部部分７１０及び７２０を含む。
【００６４】
位置決め特徴部７１０は、ボトムパネル６５０に形成される折り線７０１を含み、これは、折り線６５１と交わる引裂き線７０２と、サイドパネル６４０に形成されてこれに沿って延びて折り線６５４と交わる引裂き線７０４とに向かって延びる。引裂き線７０４からは引裂き線７０５が延びてサイドパネル端部フラップ６４４に進み、サイドパネル端部フラップ６４４の外周縁に延びる引裂き線７０６とつながる。サイドパネル端部フラップ６４４には、折り線７０７も含まれ、これにより、ブランク又はカートンから位置決め特徴部を切り離して位置決め特徴部を形成するためにアクセス開口を作ることが可能になる。さらに、位置決め組立体を折り曲げる助けとなるように、折り線７０３をボトムパネル６５０に含むことができる。
【００６５】
図２３に示す位置決め特徴部７２０は、ボトムパネル６１０に形成されて引裂き線７１２まで延びる折り線７１１を含み、引裂き線７１２は、折り線７１１からボトムパネル６１０とサイドパネル６２０との間の折り線６２１まで斜角で延びる。折り線６２１から折り線６５４と交わるまで引裂き線７１４が延び、フラップ６２４に入って引裂き線７１５に沿って延び、引裂き線７１５は引裂き線７１４に対して斜角で引裂き線７１６まで延び、引裂き線７１６はサイドパネル端部フラップ６２４の外周縁まで延びる。折り線７０７並びに引裂き線７０６及び７１６とともに、位置決め特徴部７１０及び７２０の切り離しを助けて閉じ込めカートンにおける位置決め組立体の形成及び使用を可能にすることができるアクセス開口を作ることができるように、折り線７１７をサイドパネル端部フラップ６２４に含むことができる。ボトムパネル６１０には折り線７１３も含まれ、これは折り線７０３、７１０、及び７２０を助けて、閉じ込めカートンの底部分に沿って位置決め特徴部を折り曲げて、閉じ込めカートンが支持面上に配置されると出口端部に向かって容器の重力送りを可能にする位置に位置決め特徴部を配置することができるようにする。ブランク６０１からのカートンの形成を助けるために、型押し領域７２３がボトムパネル端部フラップ６１２に形成され、型押し領域７２５がボトムパネル端部フラップ６１４に形成される。これらの型押し領域７２３、７２５は、概して、ボトムパネル端部フラップ６１２及び６１４の型押し領域７２３及び７２５の周りの領域よりもわずかに高い位置にある、接着補助領域である。ブランク６０１を隆起ブロックに対して型押し又は他の方法で押し付けることで、領域７２３及び７２５において２枚重ねの厚さとほぼ同じ高さのわずかに隆起した部分を形成することができる。
【００６６】
位置決め特徴部は、カートンの後端部を、カウンター、冷蔵庫の棚、又は閉じ込めカートンを支持しているキャビネット若しくは棚等の支持面よりも上に持ち上げることができるように係合させることができる。カートンが手動で持ち上げ位置に配置されると、閉じ込めカートン内の容器又は物品は、それに従って後端部から前端部すなわち出口端部に向かって重力送りによって前方に転がるようになる。したがって、カートンは、全ての物品がカートンの前端部すなわち出口端部に向かって進むにつれて、ユーザがこれらを出口端部において個別に供給することを可能にするように位置決めされ得る。概して、位置決め組立体又は傾斜組立体は、位置決め特徴部７１０及び７２０を引裂き線７０６及び７１６に沿って切り離してアクセス開口にアクセスし、折り線７０７及び７１７に沿ってアクセス開口を折り曲げることによって、係合させることができる。位置決め特徴部の係合は、通常、位置決め特徴部の押し込み及び／又は引き出しを行って引裂き線に沿って分離することを含む。引裂き線７０５及び７１５は、サイドパネル端部フラップ６４４及び６２４に沿ってそれぞれ分離し、引裂き線７０４及び７１４はさらに、サイドパネル６４０及び６２０に沿ってそれぞれ分離して、ボトムパネル６５０及び６１０の引裂き線７０２及び７１２それぞれも切り離すようにする。続いて、位置決め組立体の位置決め特徴部を折り線７０１、７１１、７０３、７１３に沿って折り曲げて、位置決め特徴部を所定位置に嵌める。続いて、カートンを支持面から持ち上げ、位置決め特徴部又は傾斜特徴部を、重力送りによってカートン内の容器を出口端部に向かって押し進めるか又は他の方法で促すように動作可能な位置に配置するように、任意の方法で位置決めすることができる。
【００６７】
上記実施形態のブランク１、１０１、２０１、３０１、４０１、及び６０１の切り離し可能部分の深さは、形成されたカートンにおいて、カートンの１つ又は複数の上列の容器Ｃにアクセスできるように延びることができる。例えば、深さは、容器の直径の７０％〜１３０％の範囲であり得る。さらに、ブランク１、１０１、２０１、３０１、４０１、及び６０１から組み立てられるカートンは、例えば、１２個の１２オンス容器Ｃを閉じ込めてもよく、又は所望の任意の数、種類、又は向きの容器を閉じ込めるようにサイズ変更してもよい。
【００６８】
本発明のカートンは、本発明の同一譲受人により所有されるカートン、特に米国特許第６，７１５，６３９号、同第６，６０４，６７７号、同第６，５７８，７３６号、及び同第６，４８４，９０３号、並びに米国特許出願第１０／７８９，７９２号、同第１０／７７７，６１４号、同第１０／６２６，２３４号、及び同第１０／２７１，４４７号に詳述されているカートンの構成及び説明を包含し、上記特許及び特許出願は全て、全内容がそのまま繰り返されるのと同等に参照により本明細書に援用される。
【００６９】
本発明によるブランクは、例えば、塗工板紙及び同様の材料から形成することができる。例えば、ブランクの内面及び／又は外面は、クレーコートでコーティングすることができる。続いて、クレーコートの上には、製品の仕様、広告、値段コード、及び他の情報又は画像を印刷してもよい。続いて、ブランクに印刷された情報を保護するために、ブランクをワニスでコーティングしてもよい。ブランクは、例えば、ブランクの片面又は両面を防湿層カラム（moisture barrier column）でコーティングすることもできる。上述の実施形態によれば、ブランクは、通常の紙よりも重く硬質であるような厚さの板紙で構成され得る。ブランクは、厚紙、硬化紙、又はディスペンサが少なくとも概ね上述のように機能できるようにするのに適した特性を有する任意の他の材料等、他の材料で構成することもできる。ブランクは、選択されたパネル又はパネルセクションに１つ又は複数のシート状材料を積層又はコーティングすることもできる。
【００７０】
本発明の上述の実施形態によれば、折り線は、それに沿った折り曲げを容易にする、必ずしも直線状ではないがほぼ直線状の任意の弱化形態であり得る。本発明の範囲を狭めるためではないが、より詳細には、用いられる折り線及び／又は引裂き線は、所望の脆弱線に沿って材料に圧潰部分を作る鈍いスコアリングナイフ等で形成される線等の切り込み線、所望の脆弱線に沿って材料に部分的に延びる切れ目、及び／又は所望の脆弱線に沿って材料に部分的及び／又は完全に延びる一連の切れ目、刻み目、ミシン目、窪み、又は他の折り目若しくは分離線、及びこれらの特徴の種々の組み合わせを含み得る。切断を用いて折り線が作られる状況では、通常、切断は、賢明なユーザでも誤って折り線を引裂き線又は他の分断線とみなす可能性があるほど大きすぎないようにする。
【００７１】
上記実施形態は、カートンの実施形態の組み立て時に糊によって互いに貼り合わせられる１つ又は複数のパネルを有するものとして説明されている場合がある。「糊」という用語は、カートンパネルを所定位置に固定するのに一般的に用いられるあらゆる種類の接着剤を包含することが意図される。
【００７２】
本発明の上記の説明は、本発明を例示及び説明するものである。さらに、本開示は、本発明の選択された実施形態のみを図示及び説明しているが、本発明は、種々の他の組み合わせ、変更形態、及び環境で用いることができ、本明細書で述べられているように本発明の概念の範囲内で変形又は変更を行うことができ、上記の教示と同等であり、且つ／又は関連技術の技術又は知識内にあることを理解されたい。
【図面の簡単な説明】
【００７３】
【図１】カートンを形成することができる本発明によるブランクの平面図である。
【図２】図１のブランクから形成されたスリーブの斜視図である。
【図３】アクセスポートを係合させた、図２のスリーブから形成される閉じ込めカートンの出口端部の斜視図である。
【図４】引裂き線に沿って切り離すことによって開口が形成された、図３のカートンの斜視図である。
【図５】図３のカートンを再閉するために蝶着されている開口特徴部を示す図である。
【図６】開口特徴部を閉じ込めカートンから係脱させた様子を示す図である。
【図７】カートンを形成することができる本発明による代替的なブランクの平面図である。
【図８】図７のブランクから形成されたスリーブの斜視図を示す。
【図９】図８のスリーブから形成されたカートンの出口端部を示す図である。
【図１０】図９のカートンにおいてアクセス特徴部を係合させた様子を示す図である。
【図１１】カートンの開口特徴部をカートンからヒンジ式に係脱させた様子を示す図である。
【図１２】カートンから容器が取り出された後にカートンの開口特徴部を再閉した様子を示す図である。
【図１３】開口特徴部をカートンから完全に除去した様子を示す図である。
【図１４】カートンを形成することができる本発明による代替的なブランクの平面図である。
【図１５】図１４のブランクから形成されたスリーブの斜視図である。
【図１６】図１５のスリーブから形成された閉じ込めカートンを示す図である。
【図１７】アクセスポートを係合させた様子を示す図である。
【図１８】開口特徴部を係合させて、カートンに蝶着したままにするように引裂き線に沿って除去した様子を示す図である。
【図１９】開口特徴部を再閉した様子を示す図である。
【図２０】開口特徴部を引裂き線に沿ってカートンから完全に係脱させた様子を示す図である。
【図２１】カートンを形成することができる本発明による別の代替的なブランクの平面図である。
【図２２】カートンを形成することができる本発明によるさらに別の代替的なブランクの平面図である。
【図２３】カートンを形成することができる本発明による別の代替的なブランクの平面図である。
【図１】
2008518853.tif 000003
【図２】
2008518853.tif 000004
【図３】
2008518853.tif 000005
【図４】
2008518853.tif 000006
【図５】
2008518853.tif 000007
【図６】
2008518853.tif 000008
【図７】
2008518853.tif 000009
【図８】
2008518853.tif 000010
【図９】
2008518853.tif 000011
【図１０】
2008518853.tif 000012
【図１１】
2008518853.tif 000013
【図１２】
2008518853.tif 000014
【図１３】
2008518853.tif 000015
【図１４】
2008518853.tif 000016
【図１５】
2008518853.tif 000017
【図１６】
2008518853.tif 000018
【図１７】
2008518853.tif 000019
【図１８】
2008518853.tif 000020
【図１９】
2008518853.tif 000021
【図２０】
2008518853.tif 000022
【図２１】
2008518853.tif 000023
【図２２】
2008518853.tif 000024
【図２３】
2008518853.tif 000025
【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
カートンを形成するブランクであって、
第１のサイドパネルと、
トップパネルと、
第２のサイドパネルと、
ボトムパネルと、
接着フラップと、
該ブランクの第１の周辺領域に沿って延びる少なくとも１つの第１の端部フラップと、
該ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に前記第１のサイドパネルに第１の距離だけ、前記第１のサイドパネルの第１の曲がり目まで延び、前記トップパネルから前記第２のサイドパネルに前記第１の方向に、前記第２のサイドパネルの第１の曲がり目まで延びる、引裂き線と、を備え、
前記引裂き線は、前記第１のサイドパネルの前記第１の曲がり目から前記第１のサイドパネルを通って第１のサイドパネル端部フラップに第２の方向に延び、且つ前記第２のサイドパネルの前記第１の曲がり目から前記第２のサイドパネルを通って第２のサイドパネル端部フラップに前記第２の方向に延び、
前記第１の方向は前記第２の方向に対してほぼ垂直である、カートンを形成するブランク。
【請求項２】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項１に記載のカートンを形成するブランク。
【請求項３】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項１に記載のカートンを形成するブランク。
【請求項４】
前記トップパネルに形成されるアクセスフラップを含む、請求項１に記載のカートンを形成するブランク。
【請求項５】
請求項１に記載のブランクから形成されるほぼ平行六面体のカートンと、該カートン内に閉じ込められる複数の物品との組み合わせ。
【請求項６】
カートンを形成するブランクであって、
第１のサイドパネルと、
トップパネルと、
第２のサイドパネルと、
ボトムパネルと、
接着フラップと、
該ブランクの第１の周辺領域に沿って延びる少なくとも１つの第１の端部フラップと、
該ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に所定距離だけ前記第１のサイドパネルに第１の曲がり目まで延び、続いて第１の続き距離だけ第２の方向に第２の曲がり目まで延び、続いて前記第１の方向に第１の上がり距離だけ第３の曲がり目まで延び、続いて前記第１のサイドパネルを通って第１のサイドパネル端部フラップに、及び前記第２のサイドパネルを通って第２のサイドパネル端部フラップに、それぞれ前記第２の方向に延び、該第１の方向は前記第２の方向に対してほぼ垂直である、引裂き線と
を備える、カートンを形成するブランク。
【請求項７】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項６に記載のカートンを形成するブランク。
【請求項８】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項６に記載のカートンを形成するブランク。
【請求項９】
前記トップパネルに形成されるフィンガフラップを含む、請求項６に記載のカートンを形成するブランク。
【請求項１０】
請求項６に記載のブランクから形成されるほぼ平行六面体のカートンと、該カートン内に閉じ込められる複数の物品との組み合わせ。
【請求項１１】
カートンを形成するブランクであって、
第１のサイドパネルと、
トップパネルと、
第２のサイドパネルと、
ボトムパネルと、
接着フラップと、
該ブランクの第１の周辺領域に沿って延びる少なくとも１つの第１の端部フラップと、
該ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に所定距離だけ前記第１のサイドパネルに第１の曲がり目まで延び、続いて第１の続き距離だけ第２の方向に第２の曲がり目まで延び、続いて前記第１の方向に第１の上がり距離だけ第３の曲がり目まで延び、続いて第２の続き距離だけ前記第２の方向に第４の曲がり目まで延び、続いて前記第１の方向に第５の曲がり目まで延び、続いて前記第１のサイドパネルを通って第１のサイドパネル端部フラップに、及び前記第２のサイドパネルを通って第２のサイドパネル端部フラップに、それぞれ前記第２の方向に延び、該第１の方向は前記第２の方向に対してほぼ垂直である、引裂き線と
を備える、カートンを形成するブランク。
【請求項１２】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項１１に記載のカートンを形成するブランク。
【請求項１３】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項１１に記載のカートンを形成するブランク。
【請求項１４】
前記トップパネルに形成されるアクセスフラップを含む、請求項１１に記載のカートンを形成するブランク。
【請求項１５】
請求項１１に記載のブランクから形成されるほぼ平行六面体のカートンと、該カートン内に閉じ込められる複数の物品との組み合わせ。
【請求項１６】
複数の容器を閉じ込めるカートンであって、
第１のサイドパネルと、
トップパネルと、
第２のサイドパネルと、
ボトムパネルと、
接着フラップと、
前記ブランクの第１の周辺領域に沿って延びる少なくとも１つの第１の端部フラップと、
前記ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に第１の距離だけ前記第１のサイドパネルに第１の曲がり目まで延び、続いて前記サイドパネルの第１の曲がり目から前記第１のサイドパネルを通って第１のサイドパネル端部フラップに第２の方向に延び、前記第１の方向は前記第２の方向に対してほぼ垂直である、引裂き線と
を備え、前記引裂き線に沿った切り離し可能部分の分離により、前記容器を取り出すことができる開口が該カートンに作られる、複数の容器を閉じ込めるカートン。
【請求項１７】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項１６に記載のカートン。
【請求項１８】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項１６に記載のカートン。
【請求項１９】
前記トップパネルに形成されるフィンガフラップを含む、請求項１６に記載のカートン。
【請求項２０】
カートンから物品を取り出す方法であって、
請求項１６に記載のカートン及び複数の物品を準備すること、
前記カートンを引裂き線の少なくとも一部に沿って引き裂くこと、
前記カートンのうち前記引裂き線によって画定される部分を除去することであって、それにより開口を形成する、除去すること、及び
前記カートンの前記開口から物品を取り出すこと
を含む、カートンから物品を取り出す方法。
【請求項２１】
複数の容器を閉じ込めるカートンであって、
第１のサイドパネルと、
トップパネルと、
第２のサイドパネルと、
ボトムパネルと、
接着フラップと、
前記ブランクの第１の周辺領域に沿って延びる少なくとも１つの第１の端部フラップと、
前記ブランクの第２の周辺領域に沿って延びる少なくとも１つの第２の端部フラップと、
少なくとも前記トップパネル、前記第１のサイドパネル、及び前記第２のサイドパネルそれぞれに延びる引裂き線であって、前記トップパネルから該トップパネルに対してほぼ垂直な第１の方向に所定距離だけ前記第１のサイドパネルに第１の曲がり目まで延び、続いて第１の続き距離だけ第２の方向に第２の曲がり目まで延び、続いて、前記第１の方向に第１の上がり距離だけ第３の曲がり目まで延び、続いて前記第１のサイドパネルを通って第１のサイドパネル端部フラップに、及び前記第２のサイドパネルを通って第２のサイドパネル端部フラップに、それぞれ第２の方向に延び、該第１の方向は前記第２の方向に対してほぼ垂直である、引裂き線と
を備え、前記引裂き線に沿った切り離し可能部分の分離により、前記容器を取り出すことができる開口が該カートンに作られる、複数の容器を閉じ込めるカートン。
【請求項２２】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項２１に記載のカートン。
【請求項２３】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項２１に記載のカートン。
【請求項２４】
前記トップパネルに形成されるフィンガフラップを含む、請求項２１に記載のカートン。
【請求項２５】
カートンから物品を取り出す方法であって、
請求項２１に記載のカートン及び複数の物品を準備すること、
前記カートンを引裂き線の少なくとも一部に沿って引き裂くこと、
前記カートンのうち前記引裂き線によって画定される部分を除去することであって、それにより開口を形成する、除去すること、及び
前記カートンの前記開口から物品を取り出すこと
を含む、カートンから物品を取り出す方法。
【請求項２６】
複数の容器を閉じ込めるカートンであって、
第１のサイドパネルと、
トップパネルと、
第２のサイドパネルと、
ボトムパネルと、
接着フラップと、
前記ブランクの第１の周辺領域に沿って延びる少なくとも１つの第１の端部フラップと、
前記ブランクの第２の周辺領域に沿って延びる少なくとも１つの第２の端部フラップと、
少なくとも前記トップパネル、前記第１のサイドパネル、及び前記第２のサイドパネルに延びる引裂き線であって、前記トップパネルから該トップパネルに対してほぼ垂直な第１の方向に所定距離だけ前記第１のサイドパネル及び前記第２のサイドパネルそれぞれに第１の曲がり目まで延び、続いて第１の続き距離だけ第２の方向に第２の曲がり目まで延び、続いて、前記第１の方向に第１の上がり距離だけ第３の曲がり目まで延び、続いて第２の続き距離だけ前記第２の方向に第４の曲がり目まで延び、続いて前記第１の方向に第５の曲がり目まで延び、続いて前記第２の方向に前記第１のサイドパネルを通って第１のサイドパネル端部フラップに、及び前記第２のサイドパネルを通って第２のサイドパネル端部フラップにそれぞれ延び、前記第１の方向は前記第２の方向に対してほぼ垂直である、引裂き線と
を備え、前記引裂き線に沿った切り離し可能部分の分離により、前記容器を取り出すことができる開口が該カートンに作られる、複数の容器を閉じ込めるカートン。
【請求項２７】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項２６に記載のカートン。
【請求項２８】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項２６に記載のカートン。
【請求項２９】
前記トップパネルに形成されるフィンガフラップを含む、請求項２６に記載のカートン。
【請求項３０】
カートンから物品を取り出す方法であって、
請求項２６に記載のカートン及び複数の物品を準備すること、
前記カートンを引裂き線の少なくとも一部に沿って引き裂くこと、
前記カートンのうち前記引裂き線によって画定される部分を除去することであって、それにより開口を形成する、除去すること、及び
前記カートンの前記開口から物品を取り出すこと
を含む、カートンから物品を取り出す方法。
【請求項３１】
前記引裂き線は、前記第１のサイドパネル端部フラップに曲線状の曲がり目まで延びてから該第１のサイドパネル端部フラップの外周縁まで延びる、請求項２６に記載のカートン。
【請求項３２】
前記引裂き線は、前記第２のサイドパネル端部フラップに曲線状の曲がり目まで延びてから該第２のサイドパネル端部フラップの外周縁まで延びる、請求項２６に記載のカートン。
【請求項３３】
出口端部及び閉鎖端部を含む２つの閉鎖端部を含み、前記引裂き線は、前記出口端部に延びる、請求項２６に記載のカートン。
【請求項３４】
複数の容器を閉じ込めるカートンであって、
第１のサイドパネルと、
少なくとも１つのトップパネルと、
第２のサイドパネルと、
ボトムパネルと、
前記ブランクの第１の周辺領域に沿って延びる少なくとも１つの第１の端部フラップと、
前記ブランクの第２の周辺領域に沿って延びる少なくとも１つの第２の端部フラップと、
第１の方向に所定距離だけ前記第１のサイドパネルの第１の曲がり目まで延び、前記トップパネルから前記第２のサイドパネルに対して所定距離だけ前記第２のサイドパネルの第１の曲がり目まで延びる、引裂き線と
を備え、
前記引裂き線は、前記第１のサイドパネルの前記第１の曲がり目から第１のサイドパネル端部フラップとの第１の交点まで第１の傾斜距離だけ延び、及び前記第２のサイドパネルの前記第１の曲がり目から第２のサイドパネル端部フラップとの第２の交点まで第２の傾斜距離だけ延び、
前記第１の傾斜距離及び前記第２の傾斜距離はほぼ等しく、
前記引裂き線に沿った切り離し可能部分の分離により、前記容器を取り出すことができる開口が該カートンに作られる、複数の容器を閉じ込めるカートン。
【請求項３５】
前記引裂き線は、前記トップパネル及び前記第１のサイドパネルを分離する折り線と、前記接着フラップから前記第１のサイドパネルを分離する折り線との間の中間よりも長い距離だけ、前記第１のサイドパネルに延びる、請求項３４に記載のカートン。
【請求項３６】
前記引裂き線は、前記トップパネル及び前記第２のサイドパネルを分離する折り線と、前記ボトムパネルから前記第２のサイドパネルを分離する折り線との間の中間よりも長い距離だけ、前記第２のサイドパネルに延びる、請求項３４に記載のカートン。
【請求項３７】
前記トップパネルに形成されるフィンガフラップを含む、請求項３４に記載のカートン。
【請求項３８】
カートンから物品を取り出す方法であって、
請求項３４に記載のカートン及び複数の物品を準備すること、
前記カートンを引裂き線の少なくとも一部に沿って引き裂くこと、
前記カートンのうち前記引裂き線によって画定される部分を除去することであって、それにより開口を形成する、除去すること、及び
前記カートンの前記開口から物品を取り出すこと
を含む、カートンから物品を取り出す方法。
【請求項３９】
前記引裂き線は、前記第１のサイドパネル端部フラップに曲線状の曲がり目まで延びてから該第１のサイドパネル端部フラップの外周縁まで延びる、請求項３４に記載のカートン。
【請求項４０】
前記引裂き線は、前記第２のサイドパネル端部フラップに曲線状の曲がり目まで延びてから該第２のサイドパネル端部フラップの外周縁まで延びる、請求項３４に記載のカートン。
【請求項４１】
出口端部及び閉鎖端部を含む２つの閉鎖端部を含み、前記引裂き線は、前記出口端部に延びる、請求項３４に記載のカートン。
【請求項４２】
係合させると前記閉鎖端部を前記出口端部よりもわずかに上に持ち上げる位置決め組立体を、前記閉鎖端部にさらに含む、請求項４１に記載のカートン。
【請求項４３】
前記位置決め組立体は、前記カートンに取り付けられたままであり前記ボトムパネルの一部及び前記閉鎖端部の一部を含む一体構造である、請求項４２に記載のカートン。
【請求項４４】
前記位置決め組立体は、前記ボトムパネル上の第１の点から該ボトムパネル上の第２の点まで延びる第１の折り線と、前記第１の点から前記ボトムパネル、前記閉鎖端、及び前記ボトムパネルを越えて前記第２の点まで延びる第１の位置決め引裂き線とによって画定される、請求項４３に記載のカートン。
【請求項４５】
前記第１の位置決め引裂き線に沿って位置する第１の位置決めフィンガフラップをさらに含み、該第１の位置決めフィンガフラップは、前記第１の位置決め引裂き線に沿って前記位置決め組立体を引くことを可能にする、請求項４４に記載のカートン。
【請求項４６】
複数の容器を閉じ込めるカートンであって、
第１のサイドパネルと、
トップパネルと、
第２のサイドパネルと、
少なくとも１つのボトムパネルと、
前記ブランクの第１の周辺領域に沿って延びる少なくとも１つの第１の端部フラップと、
前記ブランクの第２の周辺領域に沿って延びる少なくとも１つの第２の端部フラップと、
前記第１のサイドパネルと前記トップパネルとの間に延びる第１の折り線、前記トップパネルと前記第２のサイドパネルとの間に延びる第２の折り線、及び少なくとも前記第１のサイドパネルと第１の端部フラップとの間に延びる第３の折り線と、
前記トップパネルを通り、前記第１の折り線に沿って及び横切り、前記第２の折り線に沿って及び横切り、且つ前記第３の折り線に沿って及び横切って延びて、切り離し可能部分を画定する引裂き線と
を備え、前記引裂き線に沿った前記切り離し可能部分の分離により、前記容器を取り出すことができる開口が該カートンに作られる、複数の容器を閉じ込めるカートン。
【請求項４７】
前記引裂き線の部分は、前記第１の折り線、前記第２の折り線、及び前記第３の折り線それぞれに平行に延びる請求項４６に記載のカートン。
【請求項４８】
複数の容器を閉じ込めるカートンであって、
一端部が出口端部である少なくとも２つの端部と、
第１のサイドパネルと、
トップパネルと、
第２のサイドパネルと、
少なくとも１つのボトムパネルと、
前記ブランクの第１の周辺領域に沿って延びる少なくとも１つの第１の端部フラップと、
前記ブランクの第２の周辺領域に沿って延びる少なくとも１つの第２の端部フラップと、
前記第１のサイドパネルと前記トップパネルとの間に延びる第１の折り線、前記トップパネルと前記第２のサイドパネルとの間に延びる第２の折り線、及び少なくとも前記第１のサイドパネルと第１の端部フラップとの間に延びる第３の折り線と、
前記トップパネルを通り、前記第１の折り線に沿って及び横切り、前記第２の折り線に沿って及び横切り、且つ前記第３の折り線を横切って前記出口端部に延びて、切り離し可能部分を画定する引裂き線と
を備え、
前記引裂き線に沿った前記切り離し可能部分の分離により、前記容器を取り出すことができる開口が該カートンに作られる、複数の容器を閉じ込めるカートン。
【請求項４９】
前記引裂き線の部分は、前記第１の折り線、前記第２の折り線、及び前記第３の折り線にそれぞれ平行に延びる請求項４８に記載のカートン。
【請求項５０】
カートンを形成するブランクであって、
少なくとも１つのサイドパネルと、
トップパネルと、
少なくとも１つのボトムパネルと、
該ブランクの第１の周辺領域に沿って延びる少なくとも１つの第１の端部フラップと、
少なくとも前記トップパネルを通り、前記少なくとも１つの第１の端部フラップの少なくとも１つの一部を通って、該ブランクの切り離し可能部分を画定する引裂き線と
を備える、カートンを形成するブランク。
【国際調査報告】
2008518853.tif 000026
2008518853.tif 000027
2008518853.tif 000028
2008518853.tif 000029
2008518853.tif 000030